(57)【特許請求の範囲】
【請求項１】
第１のＬＥＤモジュールと、
第２のＬＥＤモジュールと、
前記第１のＬＥＤモジュールと第２のＬＥＤモジュールのオンオフを制御する制御部と、
前記第１、第２のＬＥＤモジュールおよび前記制御部に、電池端子からの直流電流を抵抗素子を介して直接供給する蓄電池と、
前記蓄電池の端子電圧を検出する蓄電池電圧検出部と、を備え、
前記制御部は、外部から点滅動作指令を受けると、前記第１のＬＥＤモジュールと第２のＬＥＤモジュールを発光タイミングが重ならないように点滅動作制御を行い、前記蓄電池電圧検出部で検出した前記端子電圧が予め設定した放電基準電圧以下になると、この点滅動作制御を停止する点滅形誘導灯。
【請求項２】
前記第１のＬＥＤモジュールと前記第２のＬＥＤモジュールは、それぞれの発光方向が異なるように取り付けられている、請求項１記載の点滅形誘導灯。
【発明の詳細な説明】
【技術分野】
【０００１】
点滅形誘導灯は、光源として、全方向に発光するキセノンランプなどのランプ光源や指向性のあるＬＥＤ光源を使って点滅動作をする誘導灯である。
【背景技術】
【０００２】
点滅形誘導灯は、火災発生時に避難誘導を速やかに行うためのもので、ＪＩＬ５５０２の規定に基づき、設計・生産されている。ＪＩＬ５５０２にて、点滅形誘導灯の点滅する光源や、点滅周期、時間などが規定されている。
【０００３】
光源には、キセノンランプ、ＬＥＤ光源が認められており、従来はキセノンランプが主流であった。最近は、コスト、消費電力などの点からＬＥＤ光源が使われ始めている。
【０００４】
キセノンランプの場合、その特性上全方向へ閃光発光するが、ＬＥＤ光源はその特性上指向性が高く、そのため限られた方向への発光となる。このため、ＬＥＤ光源を使用する場合は、ＬＥＤモジュールを複数個使用し、それらの配置を工夫することで必要な方向へ向けて発光させる。
【０００５】
例えば、特許文献１では、誘導灯装置の正面に第１のＬＥＤモジュールを取り付け、両側面に第２のＬＥＤモジュールを取り付け、これらのＬＥＤモジュールで正面方向と側面方向に発光している。
【先行技術文献】
【特許文献】
【０００６】
【特許文献１】特開2013-235782
【発明の概要】
【発明が解決しようとする課題】
【０００７】
しかしながら、上記先行特許文献では、第１のＬＥＤモジュールと第２のＬＥＤモジュールを同時にオンしているため、瞬時的に大きな電力が必要になる。避難誘導時のＬＥＤモジュールを発光させるための電源は蓄電池であるが、瞬時的に大きな電力が必要になると、電流の瞬時値が大きくなるため、電池の内部抵抗での損失が大きくなり、電池の端子電圧の低下が早まる。すると、発光を繰り返し行っているときの電池端子電圧が放電基準電圧に低下する時間が早くなり、結果として、規定時間以上発光出来なくなるという問題がある。
【０００８】
この発明の目的は、複数のＬＥＤモジュールを点滅動作するときに蓄電池の電池端子電圧が早く低下するのを防止できる点滅形誘導灯を提供することにある。
【課題を解決するための手段】
【０００９】
この発明の点滅形誘導灯は、
ＬＥＤモジュールとして、第１のＬＥＤモジュールと、第２のＬＥＤモジュールとを備えている。また、前記第１のＬＥＤモジュールと第２のＬＥＤモジュールのオンオフを制御する制御部と、前記第１、第２のＬＥＤモジュールおよび前記制御部に電源電圧を供給する蓄電池と、前記蓄電池の端子電圧を検出する蓄電池電圧検出部と、を備える。
【００１０】
前記制御部は、外部から点滅動作指令を受けると、前記第１のＬＥＤモジュールと第２のＬＥＤモジュールを発光タイミングが重ならないように点滅動作制御を行い、前記蓄電池電圧検出部で検出した前記端子電圧が予め設定した放電基準電圧以下になると、この点滅動作制御を停止する。
【発明の効果】
【００１１】
制御部は、点滅駆動制御を行うときに二つのモジュールを発光タイミングが重ならないように制御する。これにより、二つのモジュールを同時に点滅動作制御を行う場合に比して、蓄電池の端子電圧が予め設定した放電基準電圧以下になる時間（放電時間）を長くできる。
【図面の簡単な説明】
【００１２】
【図１】この発明の実施形態である点滅形誘導灯の概略外観図である。
【図２】点滅形誘導灯の非常時における要部ブロック図である。
【図３】ＣＰＵ８の要部動作フローチャートである。
【図４】従来の点滅形誘導灯による点滅動作制御と本実施形態の点滅形誘導灯による点滅動作制御を比較する図である。
【図５】非常時において、電池電流Ｉ（１）（放電電流瞬時値が大きい）のときの放電時間と、電池電流Ｉ（２）（放電電流瞬時値が小さい）のときの放電時間を示している。
【発明を実施するための形態】
【００１３】
図１は、この発明の実施形態である点滅形誘導灯の概略外観図である。
【００１４】
全体として平板状の誘導灯本体１の下部には、平板状の第１のＬＥＤモジュール２と第２のＬＥＤモジュール３とが、傾斜して設置されている。図の例では、傾斜方向は第１のＬＥＤモジュール１は前方斜め下方向であり、第２のＬＥＤモジュール３は後方斜め下方向である。このように、各ＬＥＤモジュールはその発光方向が異なるように設置されている。誘導灯本体１は平板上で、表示部は前面と後面の両面に形成されている。また、表示部の内側にはＬＥＤ点灯部が配置されている。誘導灯本体１は、建物の非常口付近の上部、室内の天井、階段部の天井などに設置される。
【００１５】
この点滅形誘導灯は、点検時、および火災発生時の非常時にＬＥＤ点灯部が点灯していて、非常時に第１、第２のＬＥＤモジュール２、３が点滅発光する。非常時に、このＬＥＤモジュール２、３が点滅発光することで、火災発生時に避難誘導を速やかに行う。
【００１６】
図２は、点滅形誘導灯の非常時における要部ブロック図である。
【００１７】
図示しない外部電源は蓄電池４を充電し、制御部であるＣＰＵ８やＬＥＤ点灯部に対しても電源供給する。蓄電池４の電源端子には分圧抵抗６、７からなり、蓄電池４の端子電圧を検出する蓄電池電圧検出部が接続されている。また、ＣＰＵ８には、第１のＬＥＤモジュール２と第２のＬＥＤモジュール３をそれぞれ駆動するための駆動用トランジスタ９、１０が接続されている。図において、蓄電池４に直列接続されている抵抗は蓄電池４の内部抵抗５である。
【００１８】
通常時、蓄電池４は回路から切り離されており、図示しない外部電源が回路に接続されている。また、外部電源により蓄電池４が充電されている。このとき、ＣＰＵ８、ＬＥＤ点灯部は外部電源で駆動されている。
【００１９】
非常時になると、電源が外部電源から蓄電池４に切り替わり、蓄電池４からＣＰＵ８を含む回路や第１、第２のＬＥＤモジュール２、３に対して電源電圧が供給される。また、ＣＰＵ８が自動火災報知装置から誘導灯用信号装置を介して点滅信号（点滅動作指令）を受け取り、駆動用トランジスタ９、１０をオンオフ制御することで、第１のＬＥＤモジュール２と第２のＬＥＤモジュール３とを点滅発光させる。このとき、ＣＰＵ８は、第１のＬＥＤモジュールと第２のＬＥＤモジュールの発光タイミングが重ならないように点滅動作制御を行う。
【００２０】
蓄電池４が電源となっている非常時では、ＣＰＵ８は、蓄電池電圧検出部により蓄電池の端子電圧を監視する。
【００２１】
ＣＰＵ８は、図外の誘導灯用信号装置から点滅信号を受けると、第１のＬＥＤモジュール２と第２のＬＥＤモジュール３とを点滅動作させるための駆動信号を生成し、駆動用トランジスタ９、１０をオンオフ制御する。このとき、ＣＰＵ８は、第１のＬＥＤモジュールと第２のＬＥＤモジュールの発光タイミングが重ならないように点滅動作制御を行う。
【００２２】
また、ＣＰＵ８は、このとき、蓄電池電圧検出部の電圧から蓄電池４の端子電圧を監視し、この端子電圧が所定の値（放電基準電圧）に低下したことを検出すると上記点滅動作制御を停止する。図３は、ＣＰＵ８の要部動作フローチャートである。Ｓ１で点滅信号（非常動作信号）が入力すると、蓄電池４の端子電圧をチェックし、放電基準電圧以下でなければＳ３で点滅動作を行い、放電基準電圧に達するとＳ４で点滅動作を停止する。
【００２３】
図４は、従来の点滅形誘導灯による点滅動作制御と本実施形態の点滅形誘導灯による点滅動作制御を比較するものであり、それぞれの駆動信号を示している。駆動信号は所定のサイクル毎に出力される。
【００２４】
図４（Ａ）は、従来の駆動信号を示し、同図（Ｂ）は本実施形態の駆動信号を示す。
【００２５】
図４（Ａ）の従来の駆動信号はＬＥＤモジュール１、ＬＥＤモジュール２とも同時に駆動している。これに対して図４（Ｂ）の本実施例の駆動信号は、ＬＥＤモジュール１、ＬＥＤモジュール２の発光タイミングが重ならないようにタイミングをずらしている。
【００２６】
今、蓄電池４の内部抵抗５を「ｒ」、図４（Ａ）のときの電池電流をＩ（１）、内部抵抗５での損失（消費電力）をＰｒ（１）、図４（Ｂ）のときの電池電流をＩ（２）、内部抵抗５での損失（消費電力）をＰｒ（２）、各ＬＥＤモジュールの駆動時間をｔｒとすれば、
Ｐｒ（１）＝Ｉ（１）×Ｉ（１）×ｔｒ
Ｐｒ（２）＝Ｉ（２）×Ｉ（２）×２ｔｒ
となり、Ｉ（１）＝２・Ｉ（２）なので、
Ｐｒ（１）＝２・Ｉ（２）×２・Ｉ（２）×ｔｒ
Ｐｒ（２）＝Ｉ（２）×Ｉ（２）×２ｔｒ
となり、
Ｐｒ（１）＝２・Ｐｒ（２）となる。
【００２７】
すなわち、図４（Ａ）の方が図４（Ｂ）に比して、内部抵抗による消費電力（損失）が大きくなり、蓄電池消耗が早い。
【００２８】
その結果、非常時においては、  図４（Ａ）に比較して図４（Ｂ）の方が、連続点滅動作時の蓄電池４の端子電圧低下が遅くなる。図５は非常時において、電池電流Ｉ（１）（放電電流瞬時値が大きい）のときの放電時間と、電池電流Ｉ（２）（放電電流瞬時値が小さい）のときの放電時間を示している。放電時間は、非常時になってＬＥＤモジュール１、２の点滅動作が開始してから、蓄電池電圧検出部で検出した蓄電池４の端子電圧が、予め設定した放電基準電圧に低下したときまでの時間である。図示のように、本実施形態の点滅形誘導灯では、放電時間が従来よりも長くなる。このため、所定の放電時間を確保するための蓄電池容量を従来に比して大型にしなくても良い。
【符号の説明】
【００２９】
１−誘導灯本体
２−第１のＬＥＤモジュール
３−第２のＬＥＤモジュール
４−蓄電池
５−内部抵抗
【図１】
0006623457.tif 000002
【図２】
0006623457.tif 000003
【図３】
0006623457.tif 000004
【図４】
0006623457.tif 000005
【図５】
0006623457.tif 000006